【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
デマンドレスポンスにおける電力管理方法であって、
デマンドレスポンスによる電力抑制指示データを取得する工程と、
インバータモータおよび空調室内機を含む空調機器装置を備えた店舗における空調設定温度を取得する工程と、
前記電力抑制指示データおよび前記空調設定温度に基づいて、前記インバータモータの制御周波数を算出する工程と、
前記制御周波数に基づいて、前記空調機器装置に接続されたインバータ周波数調整システムによって前記空調機器装置を制御する工程と、
前記空調機器装置における動作時のデマンド値を測定する工程と
を含み、
前記空調機器装置における動作時のデマンド値は、前記インバータ周波数調整システムによって測定され、
前記インバータモータを備えた空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
前記電力管理方法は、前記デマンドレスポンスによる電力抑制指示データを取得していないときにおいては、
前記空調設定温度および前記インバータモータの周波数の上限値に基づいて前記インバータモータの制御周波数を算出し、前記制御周波数に基づいて、前記空調機器装置に接続されたインバータ周波数調整システムによって前記空調機器装置を制御することが実行される、電力管理方法。
【請求項２】
前記デマンドレスポンスによる電力抑制指示データは、通信ネットワークを介して、アグリゲータから前記店舗に送信されるものであり、
前記動作時のデマンド値を含む電力情報データは、前記通信ネットワークへ送信される、請求項１に記載の電力管理方法。
【請求項３】
前記アグリゲータには、前記通信ネットワークを介して、複数の前記店舗が通信可能に接続されており、
前記電力情報データは、前記通信ネットワークを介して、前記通信ネットワークに接続された管理センタに送信される、請求項２に記載の電力管理方法。
【請求項４】
前記インバータ周波数調整システムは、前記通信ネットワークに通信可能に接続されており、
前記インバータ周波数調整システムは、前記通信ネットワークを介して送信された前記電力抑制指示データを受信し、
前記インバータ周波数調整システムは、前記電力情報データを、無線によって前記通信ネットワークに送信する、請求項３に記載の電力管理方法。
【請求項５】
換気扇およびダンパーを含む換気機器装置に接続された換気量調整システムに、店舗における稼働率を読み込ませる工程と、
前記換気量調整システムにおいて換気比率を算出する工程と、
前記換気量調整システムによって、前記換気比率に基づいて前記換気扇および前記ダンパーを制御する工程と、
前記インバータ周波数調整システムに、前記換気比率を読み込ませる工程と、
前記換気量調整システムにおいて、前記電力抑制指示データおよび前記空調設定温度に基づくとともに前記換気比率に基づいて、前記インバータモータの制御周波数を算出する工程と、
前記制御周波数を前記インバータ周波数調整システムに送信する工程と
を、さらに含む、請求項１から４の何れか一つに記載の電力管理方法。
【請求項６】
インバータモータを含む空調機器装置と換気扇を含む換気機器装置を備えた店舗における店舗混雑レベルを、データを演算する中央演算装置および記憶装置から構成されたシステム協働制御装置に入力する工程と、
前記システム協働制御装置の演算によって、前記店舗混雑レベルに基づいて、前記換気機器装置の換気比率を算出する工程と、
前記システム協働制御装置の演算によって、前記電力抑制指示データおよび前記空調設定温度に基づくとともに前記換気比率に基づいて、前記インバータモータの制御周波数を算出する工程と、
前記制御周波数を前記インバータ周波数調整システムに送信する工程と、
前記換気機器装置に接続された換気量調整システムに、前記換気比率を送信する工程と、
前記換気比率に基づいて、前記換気量調整システムによって前記換気機器装置を制御する工程と
を、さらに含む、請求項１から４の何れか一つに記載の電力管理方法。
【請求項７】
前記店舗内において、前記換気扇は複数設置され、かつ、空調室内機は複数設置されており、
前記換気量調整システムは、前記店舗内の複数のゾーンに対応して、当該ゾーン内における前記換気扇を制御し、
前記インバータ周波数調整システムは、当該ゾーン内における当該空調機器装置に対応した前記制御周波数に基づいて、当該空調機器装置を制御することを特徴とする、請求項５または６に記載の電力管理方法。
【請求項８】
前記店舗内において、複数の温度センサが設置されており、
前記複数の温度センサのそれぞれによって測定された温度データは、前記インバータ周波数調整システムに送信される、請求項７に記載の電力管理方法。
【請求項９】
さらに、前記空調機器装置における前記インバータモータの周波数の上限値の情報を、通信ネットワークへ送信する工程が実行される、請求項１から７の何れか一つに記載の電力管理方法。
【請求項１０】
前記インバータモータの周波数の上限値の情報を送信する工程において、前記インバータモータの周波数の上限値の情報は、無線によって送信される、請求項９に記載の電力管理方法。
【請求項１１】
前記インバータモータの周波数の上限値の情報は、前記インバータ周波数調整システムに接続された信号発信装置によって、携帯電話ネットワークに送信される、請求項１０に記載の電力管理方法。
【請求項１２】
デマンドレスポンスにおける電力管理方法であって、
デマンドレスポンスによる電力抑制指示データを取得する工程と、
インバータモータおよび空調室内機を含む空調機器装置を備えた店舗における空調設定温度を取得する工程と、
前記電力抑制指示データおよび前記空調設定温度に基づいて、前記インバータモータの制御周波数を算出する工程と、
前記制御周波数に基づいて、前記空調機器装置に接続されたインバータ周波数調整システムによって前記空調機器装置を制御する工程と、
前記空調機器装置における動作時のデマンド値を測定する工程と
を含み、
前記空調機器装置における動作時のデマンド値は、前記インバータ周波数調整システムによって測定され、
前記インバータモータを備えた空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
換気扇およびダンパーを含む換気機器装置に接続された換気量調整システムに、店舗における稼働率を読み込ませる工程と、
前記換気量調整システムにおいて換気比率を算出する工程と、
前記換気量調整システムによって、前記換気比率に基づいて前記換気扇および前記ダンパーを制御する工程と、
前記インバータ周波数調整システムに、前記換気比率を読み込ませる工程と、
前記換気量調整システムにおいて、前記電力抑制指示データおよび前記空調設定温度に基づくとともに前記換気比率に基づいて、前記インバータモータの制御周波数を算出する工程と、
前記制御周波数を前記インバータ周波数調整システムに送信する工程と
を、さらに含む、電力管理方法。
【請求項１３】
デマンドレスポンスにおける電力管理方法であって、
デマンドレスポンスによる電力抑制指示データを取得する工程と、
インバータモータおよび空調室内機を含む空調機器装置を備えた店舗における空調設定温度を取得する工程と、
前記電力抑制指示データおよび前記空調設定温度に基づいて、前記インバータモータの制御周波数を算出する工程と、
前記制御周波数に基づいて、前記空調機器装置に接続されたインバータ周波数調整システムによって前記空調機器装置を制御する工程と、
前記空調機器装置における動作時のデマンド値を測定する工程と
を含み、
前記空調機器装置における動作時のデマンド値は、前記インバータ周波数調整システムによって測定され、
前記インバータモータを備えた空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
インバータモータを含む空調機器装置と換気扇を含む換気機器装置を備えた店舗における店舗混雑レベルを、データを演算する中央演算装置および記憶装置から構成されたシステム協働制御装置に入力する工程と、
前記システム協働制御装置の演算によって、前記店舗混雑レベルに基づいて、前記換気機器装置の換気比率を算出する工程と、
前記システム協働制御装置の演算によって、前記電力抑制指示データおよび前記空調設定温度に基づくとともに前記換気比率に基づいて、前記インバータモータの制御周波数を算出する工程と、
前記制御周波数を前記インバータ周波数調整システムに送信する工程と、
前記換気機器装置に接続された換気量調整システムに、前記換気比率を送信する工程と、
前記換気比率に基づいて、前記換気量調整システムによって前記換気機器装置を制御する工程と
を、さらに含む、電力管理方法。
【請求項１４】
前記店舗内において、前記換気扇は複数設置され、かつ、空調室内機は複数設置されており、
前記換気量調整システムは、前記店舗内の複数のゾーンに対応して、当該ゾーン内における前記換気扇を制御し、
前記インバータ周波数調整システムは、当該ゾーン内における当該空調機器装置に対応した前記制御周波数に基づいて、当該空調機器装置を制御することを特徴とする、請求項１２または１３に記載の電力管理方法。
【請求項１５】
前記店舗内において、複数の温度センサが設置されており、
前記複数の温度センサのそれぞれによって測定された温度データは、前記インバータ周波数調整システムに送信される、請求項１４に記載の電力管理方法。
【請求項１６】
さらに、前記空調機器装置における前記インバータモータの周波数の上限値の情報を、通信ネットワークへ送信する工程が実行される、請求項１２から１５の何れか一つに記載の電力管理方法。
【請求項１７】
デマンドレスポンスにおいて電力管理方法に用いられる電力管理プログラムであって、
前記電力管理方法は、
デマンドレスポンスによる電力抑制指示データを取得する工程と、
インバータモータおよび空調室内機を含む空調機器装置を備えた店舗における空調設定温度を取得する工程と、
前記電力抑制指示データおよび前記空調設定温度に基づいて、前記インバータモータの制御周波数を算出する工程と、
前記制御周波数に基づいて、前記空調機器装置に接続されたインバータ周波数調整システムによって前記空調機器装置を制御する工程と、
前記空調機器装置における動作時のデマンド値を測定する工程と
を含み、
前記電力管理プログラムは、通信ネットワークに接続された空調制御コンピュータおよび情報端末において動作するものであり、
前記空調制御コンピュータは、データを演算する中央演算装置および記憶装置から構成されており、
前記電力管理プログラムの少なくとも一部は、前記空調制御コンピュータの前記記憶装置に格納されており、
前記電力管理プログラムは、
前記電力抑制指示データおよび前記空調設定温度に基づいて、前記インバータモータの制御周波数を算出する機能を実現するものであり、
前記電力管理方法は、前記デマンドレスポンスによる電力抑制指示データを取得していないときにおいては、
前記空調設定温度および前記インバータモータの周波数の上限値に基づいて前記インバータモータの制御周波数を算出し、
前記制御周波数に基づいて、前記空調機器装置に接続されたインバータ周波数調整システムによって前記空調機器装置を制御することが実行され、
前記電力管理プログラムは、前記デマンドレスポンスによる電力抑制指示データを取得していないときにおいては、
前記空調設定温度および前記インバータモータの周波数の上限値に基づいて、前記インバータモータの制御周波数を算出する機能を実現するものであることを特徴とする、電力管理プログラム。
【請求項１８】
前記電力管理プログラムは、さらに、
前記空調機器装置における前記動作時のデマンド値を送信する機能、前記インバータモータの周波数の上限値の情報を送信する機能、および、前記動作時の前記空調設定温度を送信する機能のうちの少なくとも一つの機能を備えている、請求項１７に記載の電力管理プログラム。
【請求項１９】
前記電力管理プログラムは、さらに、
前記インバータモータの周波数の上限値の情報を送信する機能と、
動作時の前記インバータモータの周波数の上限値と、設定時の前記インバータモータの周波数の上限値とを対比する機能と、
前記対比した判定データを、前記情報端末に送信する機能と
を実現することを特徴とする、請求項１７または１８に記載の電力管理プログラム。
【請求項２０】
前記情報端末の少なくとも一つは、スマートフォンであり、
前記電力管理プログラムは、さらに、
前記店舗における店舗混雑レベルデータから、換気機器装置の換気比率を算出する機能と、
前記電力抑制指示データ、前記空調設定温度および前記換気比率に基づいた前記制御周波数を算出する機能と、
前記制御周波数を送信する機能と
を実現することを特徴とする、請求項１７から１９の何れか一つに記載の電力管理プログラム。
【請求項２１】
請求項１９に記載に電力管理プログラムにおいて使用される、携帯通信端末で実行可能なアプリケーションプログラムであって、
前記アプリケーションプログラムは、
前記アプリケーションプログラムにおいて送信された前記判定データを、前記携帯通信端末で表示させる機能を実現することを特徴とする、アプリケーションプログラム。
【請求項２２】
デマンドレスポンスにおいて空調機器を制御する電力管理装置であって、
店舗で使用するホールコンピュータ装置と、
インバータモータを含む空調機器装置に接続されたインバータ周波数調整システムと
を備え、
前記ホールコンピュータ装置は、データを演算する中央演算装置および記憶装置から構成されており、
前記インバータ周波数調整システムは、
デマンドレスポンスによる電力抑制指示データを受信するデータ受信機能と、
前記電力抑制指示データに基づいて、前記空調機器装置における前記インバータモータの制御周波数を算出する機能と、
前記制御周波数に基づいて、前記インバータモータを制御する機能と
を備えており、
前記空調機器装置における動作時のデマンド値は、前記インバータ周波数調整システムによって測定され、
前記空調機器装置は、
前記店舗内に配置された空調室内機と、
前記空調室内機に接続され、冷媒ガスが通過するパイプと、
前記パイプに接続された前記インバータモータを含む空調室外機と
を備えており、
前記空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
前記インバータ周波数調整システムは、前記デマンドレスポンスによる電力抑制指示データを受信していないときにおいては、
前記空調機器装置の空調設定温度および前記インバータモータの周波数の上限値に基づいて、前記空調機器装置における前記インバータモータの制御周波数を算出する機能と、
前記制御周波数に基づいて、前記インバータモータを制御する機能と
を備えている、電力管理装置。
【請求項２３】
前記空調室外機には、前記動作時のデマンド値を含むデマンドデータ、及び／又は、前記インバータモータの周波数上限値とを含むデータを、通信ネットワークに送信する空調データ送信機が接続されている、請求項２２に記載の電力管理装置。
【請求項２４】
前記インバータ周波数調整システムは、前記店舗の電力計に接続されている、請求項２２または２３に記載の電力管理装置。
【請求項２５】
前記ホールコンピュータ装置の前記記憶装置は、前記店舗の稼働率データを格納しており、
前記ホールコンピュータ装置は、通信ネットワークに接続されており、
前記通信ネットワークには、データを管理するモニタリング装置が接続されており、
前記モニタリング装置は、前記通信ネットワークを通じて、前記インバータ周波数調整システムによって測定された前記動作時のデマンド値を受信可能であり、
前記店舗には、換気扇を含む換気機器装置が配置されており、
前記換気機器装置には、換気量調整システムが接続されており、
前記換気量調整システムは、
前記ホールコンピュータ装置から前記稼働率データを読み込む機能と、
前記稼働率データから換気比率を算出する機能と、
前記換気比率に基づいて前記換気機器装置を制御する機能と
を含み、
前記インバータ周波数調整システムは、
前記換気量調整システムから前記換気比率を読み込む機能と、
前記電力抑制指示データとともに前記換気比率に基づいて、前記空調機器装置に
おける前記インバータモータの制御周波数を算出する機能と
を備えている、請求項２２から２４の何れか一つに記載の電力管理装置。
【請求項２６】
前記店舗には、換気扇を含む換気機器装置が配置されており、
さらに、
前記換気機器装置に接続された換気量調整システムと、
前記インバータ周波数調整システムと前記換気量調整システムとを協働して制御するシステム協働制御装置と
を備え、
前記システム協働制御装置は、データを演算する中央演算装置および記憶装置から構成されており、
前記システム協働制御装置には、店舗混雑レベルデータを入力可能であり、
前記システム協働制御装置は、
前記店舗混雑レベルデータから換気比率を算出する機能と、
前記店舗混雑レベルデータおよび前記換気比率の少なくとも一方から、前記インバータモータの制御周波数を算出する機能と
を有しており、
前記換気量調整システムは、前記換気比率に基づいて前記換気機器装置を制御する機能を備えており、
前記インバータ周波数調整システムは、
前記換気量調整システムから前記換気比率を読み込む機能と、
前記電力抑制指示データとともに前記換気比率に基づいて、前記空調機器装置における前記インバータモータの制御周波数を算出する機能と
を備えている、請求項２２から２４の何れか一つに記載の電力管理装置。
【請求項２７】
前記換気機器装置は、
前記店舗内に配置された前記換気扇と、
前記換気扇の動作を制御する換気スイッチと、
前記換気扇に接続されたダクトに配置されたダンパーと、
前記ダンパーの動作を制御するダンパー制御モータと
を備えており、
前記換気量調整システムは、前記換気スイッチおよび前記ダンパー制御モータに接続されている、請求項２５または２６に記載の電力管理装置。
【請求項２８】
前記店舗内において、前記換気扇は複数設置され、かつ、前記空調室内機は複数設置され、
前記換気量調整システムは、前記店舗内の複数のゾーンに対応して、当該ゾーン内における前記換気扇を制御する機能を有し、
前記インバータ周波数調整システムは、当該ゾーン内における当該換気扇からの当該換気比率に基づいて、当該空調機器装置を制御する機能を有する、請求項２５から２７の何れか一つに記載の電力管理装置。
【請求項２９】
デマンドレスポンスにおいて空調機器を制御する電力管理装置であって、
店舗で使用するホールコンピュータ装置と、
インバータモータを含む空調機器装置に接続されたインバータ周波数調整システムと
を備え、
前記ホールコンピュータ装置は、データを演算する中央演算装置および記憶装置から構成されており、
前記インバータ周波数調整システムは、
デマンドレスポンスによる電力抑制指示データを受信するデータ受信機能と、
前記電力抑制指示データに基づいて、前記空調機器装置における前記インバータモータの制御周波数を算出する機能と、
前記制御周波数に基づいて、前記インバータモータを制御する機能と
を備えており、
前記空調機器装置における動作時のデマンド値は、前記インバータ周波数調整システムによって測定され、
前記空調機器装置は、
前記店舗内に配置された空調室内機と、
前記空調室内機に接続され、冷媒ガスが通過するパイプと、
前記パイプに接続された前記インバータモータを含む空調室外機と
を備えており、
前記空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
前記ホールコンピュータ装置の前記記憶装置は、前記店舗の稼働率データを格納しており、
前記ホールコンピュータ装置は、通信ネットワークに接続されており、
前記通信ネットワークには、データを管理するモニタリング装置が接続されており、
前記モニタリング装置は、前記通信ネットワークを通じて、前記インバータ周波数調整システムによって測定された前記動作時のデマンド値を受信可能であり、
前記店舗には、換気扇を含む換気機器装置が配置されており、
前記換気機器装置には、換気量調整システムが接続されており、
前記換気量調整システムは、
前記ホールコンピュータ装置から前記稼働率データを読み込む機能と、
前記稼働率データから換気比率を算出する機能と、
前記換気比率に基づいて前記換気機器装置を制御する機能と
を含み、
前記インバータ周波数調整システムは、
前記換気量調整システムから前記換気比率を読み込む機能と、
前記電力抑制指示データとともに前記換気比率に基づいて、前記空調機器装置に
おける前記インバータモータの制御周波数を算出する機能と
を備えている、電力管理装置。
【請求項３０】
デマンドレスポンスにおいて空調機器を制御する電力管理装置であって、
店舗で使用するホールコンピュータ装置と、
インバータモータを含む空調機器装置に接続されたインバータ周波数調整システムと
を備え、
前記ホールコンピュータ装置は、データを演算する中央演算装置および記憶装置から構成されており、
前記インバータ周波数調整システムは、
デマンドレスポンスによる電力抑制指示データを受信するデータ受信機能と、
前記電力抑制指示データに基づいて、前記空調機器装置における前記インバータモータの制御周波数を算出する機能と、
前記制御周波数に基づいて、前記インバータモータを制御する機能と
を備えており、
前記空調機器装置における動作時のデマンド値は、前記インバータ周波数調整システムによって測定され、
前記空調機器装置は、
前記店舗内に配置された空調室内機と、
前記空調室内機に接続され、冷媒ガスが通過するパイプと、
前記パイプに接続された前記インバータモータを含む空調室外機と
を備えており、
前記空調室外機には、前記制御周波数の信号を前記インバータモータに伝える制御周波数アダプタが取り付けられており、
前記インバータ周波数調整システムは、前記制御周波数アダプタを介して前記空調室外機に接続されており、
前記空調機器装置は、前記店舗に設置されたものであり、
前記インバータ周波数調整システムは、前記店舗に設置された状態の前記空調機器装置に対して接続可能な構成を有しており、
前記店舗には、換気扇を含む換気機器装置が配置されており、
さらに、
前記換気機器装置に接続された換気量調整システムと、
前記インバータ周波数調整システムと前記換気量調整システムとを協働して制御するシステム協働制御装置と
を備え、
前記システム協働制御装置は、データを演算する中央演算装置および記憶装置から構成されており、
前記システム協働制御装置には、店舗混雑レベルデータを入力可能であり、
前記システム協働制御装置は、
前記店舗混雑レベルデータから換気比率を算出する機能と、
前記店舗混雑レベルデータおよび前記換気比率の少なくとも一方から、前記インバータモータの制御周波数を算出する機能と
を有しており、
前記換気量調整システムは、前記換気比率に基づいて前記換気機器装置を制御する機能を備えており、
前記インバータ周波数調整システムは、
前記換気量調整システムから前記換気比率を読み込む機能と、
前記電力抑制指示データとともに前記換気比率に基づいて、前記空調機器装置における前記インバータモータの制御周波数を算出する機能と
を備えている、電力管理装置。
【請求項３１】
前記店舗内において、前記換気扇は複数設置され、かつ、前記空調室内機は複数設置され、
前記換気量調整システムは、前記店舗内の複数のゾーンに対応して、当該ゾーン内における前記換気扇を制御する機能を有し、
前記インバータ周波数調整システムは、当該ゾーン内における当該換気扇からの当該換気比率に基づいて、当該空調機器装置を制御する機能を有する、請求項２９または３０に記載の電力管理装置。
【請求項３２】
前記ホールコンピュータ装置は、前記店舗内の少なくとも一つの電気機器を制御する機能を有しており、
前記デマンドレスポンスによる電力抑制指示データは、通信ネットワークを介して、アグリゲータから前記店舗に送信されるものであり、
前記アグリゲータには、前記通信ネットワークを介して、複数の前記店舗が通信可能に接続されており、
前記複数の店舗は、同種の店舗であり、
前記同種の店舗は、パチンコ店舗、カーディーラー店舗、ゲームセンター店舗、レストラン店舗、喫茶店店舗、ドラックストアー店舗、本屋店舗、レンタルビデオ店舗、カーディーラー店舗、ホームセンター店舗、コンビニエンスストアー店舗、老人ホーム、病院、映画館および劇場からなる群から選択されるものである、請求項２２から３１の何れか一つに記載の電力管理装置。